(57)【要約】  【目的】  多数の駒の画像の中からプリントすべき画像を比較的簡単に選択する。  【構成】  被写体を撮影したときに，表示画面20上に被写体像20Ｂをプレビューする。プレビューされた被写体像20Ｂを見てプリント候補とするかどうかをユーザに判断させる。プリント候補とする場合には，画像ファイルをプリント候補フォルダに格納する。プリント対象とすべき画像を選択する場合には，プリント候補フォルダに格納されている画像ファイルによって表される画像の中から選択する。選択対象となる画像の駒数が少なくなるので，プリントすべき画像を比較的簡単に選択できるようになる。  【選択図】  図９
2005086606.tif 000002
【特許請求の範囲】
【請求項１】
被写体を撮像し，被写体像を表す画像データを出力する撮像手段，
上記撮像手段から出力された画像データによって表される画像が，プリント候補の画像であることを指定する指定手段，および
上記指定手段によって指定された画像を表す画像データをプリント候補であることを表すデータと関連づけて記録媒体に記録する記録制御手段，
を備えたディジタル・スチル・カメラ。
【請求項２】
一括プリント候補モードの設定手段をさらに備え，
上記記録制御手段は，上記設定手段による一括プリント候補モードの設定中に上記撮像手段から出力された画像データをプリント候補画像データとして記録媒体に記録するものである，
請求項１に記載のディジタル・スチル・カメラ。
【請求項３】
上記記録制御手段は，画像データ記録領域に画像データが記録され，かつ付加情報記録領域にプリント候補を表すデータが記録された画像ファイルを記録媒体に記録するものである，
請求項１に記載のディジタル・スチル・カメラ。
【請求項４】
上記記録制御手段は，画像データとプリント候補の画像であることを表すデータとを異なるファイルに格納して記録媒体に記録するものである，
請求項１に記載のディジタル・スチル・カメラ。
【請求項５】
上記記録制御手段は，上記指定手段によって指定されたプリント候補画像を表す画像データと上記プリント候補画像を除く画像を表す画像データとを異なるフォルダに格納して記録媒体に記録するものである，
請求項１に記載のディジタル・スチル・カメラ。
【請求項６】
記録媒体に記録されている複数駒の画像を表す画像データのうち，プリント候補であることを示すデータと関連づけられている画像データが含まれているかどうかを判定する判定手段，
上記判定手段により，上記記録媒体にプリント候補であることを示すデータと関連づけられている画像データが記録されていると判定されたことに応じて，記録媒体からプリント候補の画像を表す画像データを読み取る読取手段，および
上記読取手段によって読み取られた画像データによって表されるプリント候補画像を表示画面上に表示するように表示装置を制御する表示制御手段，
を備えた画像再生装置。
【請求項７】
上記表示制御手段の制御のもとに表示されたプリント候補画像のうち，プリント対象とすべき画像を選択する第１の選択手段，および
上記記録媒体に記録されているプリント候補データのうち，上記第１の選択手段によって選択されたプリント対象画像に対応するプリント候補データをプリント対象データに変更する第１の変更手段，
をさらに備えた請求項６に記載の画像再生装置。
【請求項８】
上記記録媒体はプリントすべき画像を特定するプリント対象データが記録されており，
プリント対象データによって特定されるプリント対象画像のうち，プリント対象画像からプリント候補画像に変更すべき画像を選択する第２の選択手段，
上記第２の選択手段によって選択されたプリント候補画像に対応するプリント対応データをプリント候補データに変更する第２の変更手段，
をさらに備えた請求項６に記載の画像再生装置。
【請求項９】
上記表示制御手段の制御のもとに表示されたプリント候補画像のうち，プリント候補を解除すべき画像を選択する第３の選択手段，および
上記記録媒体に記録されているプリント候補データのうち，上記第３の選択手段によって選択されたプリント候補画像に対応するプリント候補データを上記記録媒体から消去する消去手段，
をさらに備えた請求項６に記載の画像再生装置。
【請求項１０】
上記記録媒体には，プリント候補画像を表す画像データがプリント候補フォルダに格納されて記録されており，プリント対象画像を表す画像データが，プリント対象フォルダに格納されて記録されており，プリント候補画像およびプリント対象画像を除く非対象画像を表す画像データは，非対象フォルダに格納されて記録されており，
プリント候補画像からプリント対象画像もしくは非対象画像への変更，プリント対象画像からプリント候補画像もしくは非対象画像への変更または非対象画像からプリント対象画像もしくはプリント候補画像への変更の指定を行う指定手段，および
上記指定手段による指定に応じて，対応す画像データを対応するフォルダに格納する格納先変更手段，
をさらに備えた請求項６に記載の画像再生装置。
【請求項１１】
被写体を撮像し，被写体像を表す画像データを得，
得られた画像データによって表される画像が，プリント候補の画像であることを指定し，
指定された画像を表す画像データをプリント候補であることを表すデータと関連づけて記録媒体に記録する，
ディジタル・スチル・カメラの制御方法。
【請求項１２】
記録媒体に記録されている複数駒の画像を表す画像データのうち，プリント候補であることを示すデータと関連づけられている画像データが含まれているかどうかを判定し，
上記記録媒体にプリント候補であることを示すデータと関連づけられている画像データが記録されていると判定されたことに応じて，記録媒体からプリント候補の画像を表す画像データを読み取り，
読み取られた画像データによって表されるプリント候補画像を表示画面上に表示するように表示装置を制御する，
画像再生装置の制御方法。
【請求項１３】
被写体を撮像し，被写体像を表す画像データを出力するように撮像装置を制御させ，
上記撮像装置から出力された画像データによって表される画像が，プリント候補の画像であることを指定させ，
指定された画像を表す画像データをプリント候補であることを表すデータと関連づけて記録媒体に記録させるようにディジタル・スチル・カメラのコンピュータを制御するプログラム。
【請求項１４】
記録媒体に記録されている複数駒の画像を表す画像データのうち，プリント候補であることを示すデータと関連づけられている画像データが含まれているかどうかを判定させ，  上記記録媒体にプリント候補であることを示すデータと関連づけられている画像データが記録されていると判定されたことに応じて，記録媒体からプリント候補の画像を表す画像データを読み取らせ，
読み取られた画像データによって表されるプリント候補画像を表示画面上に表示するように表示装置を制御させるように画像再生装置のコンピュータを制御するプログラム。
【請求項１５】
請求項13または14に記載のプログラムを格納した記録媒体。
【発明の詳細な説明】
【技術分野】
【０００１】
この発明は，ディジタル・スチル・カメラ（携帯型情報機器にカメラの機能をもたせたものを含む）およびその制御方法，画像再生装置およびその制御方法，ならびにディジタル・スチル・カメラのコンピュータを制御するプログラムおよび画像再生装置のコンピュータを制御するプログラムに関する。
【背景技術】
【０００２】
ディジタル・スチル・カメラにおいては，メモリ・カードに代表される記録媒体の容量の増加に伴い，記録できる駒数も増えている。記録媒体に記録されているすべての駒の画像をプリントすると，プリント枚数が非常に多くなってしまう。ラボラトリにプリントを依頼した場合にはプリント代金が高くなり，ユーザ自身が所有するプリンタを用いてプリントした場合にはプリント時間が長くなってしまう。
【０００３】
記録媒体に記録されている画像データによって表される画像の中から所望の駒の画像のプリントを指定するものとしてＤＰＯＦ（digital print order format）が考えられている。ＤＰＯＦを利用することにより，記録媒体に記録されているすべての画像データをプリントする必要が無くなる。証明写真装置において撮影される証明写真のように３駒程度の画像の中から所望の駒の画像を選択するのであればあまり手間はかからない（特許文献１参照）。しかしながら，多数駒の画像の中からプリントすべき所望の駒の画像を選択するのは比較的手間がかかる。
【特許文献１】特開平７−154736号公報
【発明の開示】
【０００４】
この発明は，多数駒の画像の中からプリントすべき所望の駒の画像を比較的簡単に選択することを目的とする。
【０００５】
第１の発明によるディジタル・スチル・カメラは，被写体を撮像し，被写体像を表す画像データを出力する撮像手段，上記撮像手段から出力された画像データによって表される画像が，プリント候補の画像であることを指定する指定手段，および上記指定手段によって指定された画像を表す画像データをプリント候補であることを表すデータと関連づけて記録媒体に記録する記録制御手段を備えていることを特徴とする。
【０００６】
第１の発明は，上記ディジタル・スチル・カメラに適した制御方法も提供している。すなわち，この方法は，被写体を撮像し，被写体像を表す画像データを得，得られた画像データによって表される画像が，プリント候補の画像であることを指定し，指定された画像を表す画像データをプリント候補であることを表すデータと関連づけて記録媒体に記録するものである。
【０００７】
第１の発明は，上記ディジタル・スチル・カメラの制御に適したプログラムおよびそのプログラムを格納した記録媒体も提供している。
【０００８】
第１の発明によると，被写体を撮像することにより被写体像を表す画像データが得られる。得られた画像がプリント候補となるべき画像であるとユーザが考えると，ユーザによって指定される。指定された画像を表す画像データがプリント候補であることを表すデータと関連づけられて記録媒体に記録される。
【０００９】
撮像することにより得られた画像を表示し，表示された画像を見ながら，プリント候補である画像の指定をするようにしてもよい。
【００１０】
プリントすべき画像を選択する場合には，プリント候補とされた画像の中から選ぶことができる。プリント候補の画像の駒数は，記録媒体に記録されている画像データによって表される画像のすべての駒数よりも少なくなるのが通常であろうから，記録媒体に記録されているすべての画像の駒数が多くても，比較的簡単にプリントすべき画像を選択できる。
【００１１】
一括プリント候補モードの設定手段をさらに備えるようにしてもよい。この場合，上記記録制御手段は，上記設定手段による一括プリント候補モードの設定中に上記撮像手段から出力された画像データをプリント候補画像データとして記録媒体に記録するものとなろう。
【００１２】
一括プリント候補モードを設定することにより，一駒ずつプリント候補画像を指定することなく，一括プリント候補モードの設定中に得られた画像をプリント候補画像にすることができる。
【００１３】
上記記録制御手段は，画像データ記録領域に画像データが記録され，かつ付加情報記録領域にプリント候補を表すデータが記録された画像ファイルを記録媒体に記録するものでもよい。付加情報記録領域に記録されているデータを確認することにより，画像記録データ記録領域に記録されている画像データによって表される画像がプリント候補画像かどうかを確認できるようになる。プリント候補画像を比較的簡単に分類することができる。
【００１４】
上記記録制御手段は，画像データとプリント候補の画像であることを表すデータとを異なるファイルに格納して記録媒体に記録するようにしてもよい。
【００１５】
上記記録制御手段は，上記指定手段によって指定されたプリント候補画像を表す画像データと上記プリント候補画像を除く画像を表す画像データとを異なるフォルダに格納して記録媒体に記録するようにしてもよい。プリント候補画像とプリント候補画像以外の画像とが別々のフォルダに格納されるので，画像の分類が比較的容易となる。
【００１６】
第２の発明による画像再生装置は，記録媒体に記録されている複数駒の画像を表す画像データのうち，プリント候補であることを示すデータと関連づけられている画像データが含まれているかどうかを判定する判定手段，上記判定手段により，上記記録媒体にプリント候補であることを示すデータと関連づけられている画像データが記録されていると判定されたことに応じて，記録媒体からプリント候補の画像を表す画像データを読み取る読取手段，および上記読取手段によって読み取られた画像データによって表されるプリント候補画像を表示画面上に表示するように表示装置を制御する表示制御手段を備えていることを特徴とする。
【００１７】
第２の発明は，上記画像再生装置に適した制御方法も提供している。すなわち，この方法は，記録媒体に記録されている複数駒の画像を表す画像データのうち，プリント候補であることを示すデータと関連づけられている画像データが含まれているかどうかを判定し，上記記録媒体にプリント候補であることを示すデータと関連づけられている画像データが記録されていると判定されたことに応じて，記録媒体からプリント候補の画像を表す画像データを読み取り，読み取られた画像データによって表されるプリント候補画像を表示画面上に表示するように表示装置を制御するものである。
【００１８】
第２の発明によると，記録媒体に記録されている複数駒の画像を表す画像データのうち，プリント候補であることを示すデータと関連づけられている画像データが含まれているかどうかが判定される。プリント候補であることを示すデータと関連づけられている画像データが記録媒体に記録されていると，プリント候補の画像を表す画像データが記録媒体から読み取られる。読み取られた画像データによって表されるプリント候補画像が表示画面上に表示される。表示されたプリント候補画像の中から，プリントすべき画像（プリント対象画像）を選択することができる。
【００１９】
プリント候補画像の駒数は記録媒体に記録されているすべての画像の駒数よりも少ないのが一般的である。記録媒体に記録されているすべての画像の中からプリント対象画像を選択するよりもプリント候補画像の中からプリント対象画像を選択する方が容易である。比較的簡単にプリント対象画像を選択できるようになる。
【００２０】
上記表示制御手段の制御のもとに表示されたプリント候補画像のうち，プリント対象とすべき画像を選択する第１の選択手段，および上記記録媒体に記録されているプリント候補データのうち，上記第１の選択手段によって選択されたプリント対象画像に対応するプリント候補データをプリント対象データに変更する第１の変更手段をさらに備えるようにしてもよい。
【００２１】
また，上記記録媒体はプリントすべき画像を特定するプリント対象データが記録されており，プリント対象データによって特定されるプリント対象画像のうち，プリント対象画像からプリント候補画像に変更すべき画像を選択する第２の選択手段，上記第２の選択手段によって選択されたプリント候補画像に対応するプリント対応データをプリント候補データに変更する第２の変更手段をさらに備えることが好ましい。
【００２２】
さらに，上記表示制御手段の制御のもとに表示されたプリント候補画像のうち，プリント候補を解除すべき画像を選択する第３の選択手段，および上記記録媒体に記録されているプリント候補データのうち，上記第３の選択手段によって選択されたプリント候補画像に対応するプリント候補データを上記記録媒体から消去する消去手段をさらに備えるようにしてもよい。
【００２３】
プリント候補画像からプリント対象画像への変更，プリント対象画像からプリント候補画像への変更，プリント候補画像からプリント候補の解除への変更などが行われた場合にそれぞれ変更後のデータに書き換えることができるようになる。
【００２４】
上記記録媒体には，プリント候補画像を表す画像データがプリント候補フォルダに格納されて記録されており，プリント対象画像を表す画像データが，プリント対象フォルダに格納されて記録されており，プリント候補画像およびプリント対象画像を除く非対象画像を表す画像データは，非対象フォルダに格納されて記録されていてもよい。
【００２５】
この場合，プリント候補画像からプリント対象画像もしくは非対象画像への変更，プリント対象画像からプリント候補画像もしくは非対象画像への変更または非対象画像からプリント対象画像もしくはプリント候補画像への変更の指定を行う指定手段，および上記指定手段による指定に応じて，対応す画像データを対応するフォルダに格納する格納先変更手段をさらに備えるようにしてもよい。
【００２６】
フォルダごとに画像の種類を分類している場合において，画像の種類を変更した場合に適切なフォルダに画像ファイルが格納されるようになる。
【実施例】
【００２７】
図１は，この発明の実施例を示すもので，ディジタル・スチル・カメラの電気的構成を示すブロック図である。
【００２８】
ディジタル・スチル・カメラの全体の動作は，カメラ制御回路10によって統括される。
【００２９】
後述するディジタル・スチル・カメラの動作プログラムは，カメラ制御回路10にプリセットされている。もっとも，ディジタル・スチル・カメラに通信機能を持たせることによって，動作プログラムを通信によりダウンロードさせることもできるし，動作プログラムが格納されているメモリ・カード８等の記録媒体から読み取らせることもできる。
【００３０】
ディジタル・スチル・カメラには，夜間撮影，日中シンクロ撮影等のためのストロボ発光装置５が接続されている。また，シャッタ・レリーズ・ボタン６および設定ボタン７からの出力信号は，それぞれカメラ制御回路10に入力する。設定ボタン７によって撮像モード，再生モード，セットアップ・モード（セットアップ・モード中に，後述するプレビュー・モードが含まれる）などのモード設定等が行われる。
【００３１】
撮像モードが設定されていると，撮像光学系（撮像レンズ，絞り）１を通過した光は，ＣＣＤ２の受光面に入射する。ＣＣＤ２の受光面上に被写体像を表す光像が結像する。被写体像を表す映像信号がＣＣＤ２から出力され，アナログ／ディジタル変換回路３においてディジタル画像データに変換される。ディジタル画像データは，画像処理回路４においてガンマ補正，色バランス調整等が行われる。画像処理回路４から出力された画像データは，カメラ制御回路10を通って表示装置９に与えられることにより，被写体像が表示画面上に表示される。
【００３２】
シャッタ・レリーズ・ボタン６が押されると，上述のようにして画像処理回路４から出力された画像データは，カメラ制御回路10を通ってＲＡＭ11に与えられ，一時的に記憶される。後述するように，プレビュー・モードが設定されているとＲＡＭ11に記憶されている画像データが表示装置９に与えられ，表示される。表示された被写体像をユーザが見ることにより，被写体像が確認される。設定ボタン７に含まれている実行ボタンが押されることにより，ＲＡＭ11に一時的に記憶されている画像データがメモリ・カード８に与えられ，記録される。プレビュー・モードが設定されていないときには，実行ボタンが押されなくともＲＡＭ11に一時的に記憶されている画像データがメモリ・カード８に記録される。
【００３３】
再生モードが設定されることにより，メモリ・カード８に記録されている画像データが読み取られ表示装置９に与えられる。表示装置９の表示画面に画像が表示される。
【００３４】
この実施例によるディジタル・スチル・カメラにおいては，撮影によって得られた画像をプリント候補とすべきかどうかをメモリ・カード８への記録時にあらかじめ決定することができる。プリント候補となった画像データ（画像ファイル）をプリント候補フォルダに，プリント候補としない画像データを非プリント対象フォルダに格納してメモリ・カード８に記録することにより，プリント候補とした画像データを比較的簡単に読み出すことができる。読み出した画像データによって表される画像の中からプリントすべき画像を決定することができる。メモリ・カード８に，多数駒の画像を表す画像データが記録されていてもプリント対象とすべき画像を比較的簡単に選択することができる。
【００３５】
図２は，ディジタル・スチル・カメラの背面図である。
【００３６】
ディジタル・スチル・カメラの背面には，そのほぼ全体にわたって表示装置９の表示画面20が形成されている。表示画面20の右上には，上下左右の矢印が押下可能に形成されている矢印ボタン21が設けられている。また，この矢印ボタン21の右側には，回転自在なモード設定ダイアル22が設けられている。モード設定ダイアル22上には，SELF，SETUP，Ａ，Ｍ，再生および接続の各文字が記載されている。これらの文字がモードを表している。SELFはセルフ・タイマ撮影モードを表し，SETUPはセットアップ・モードを表し，Ａは，オート撮影モードを表し，Ｍは，マニアル撮影モードを表し，再生は再生モードを表し，接続は，コンピュータと接続して通信するときのモードを表している。モード設定ダイアル22の左側にはマーク23が形成されている。ディジタル・スチル・カメラは，マーク23に対応する文字が表すモードに設定されることとなる。
【００３７】
モード設定ダイアル22の下には，実行ボタン24およびキャンセル・ボタン25が設けられている。
【００３８】
図３から図５はセットアップ・モードにおける表示画面20の一例である。
【００３９】
図３は，セットアップ・モードに設定された場合に表示画面20に表示される最初の内容である。画素数，シャープネスなどの設定のほかにプレビュー，一括プリント候補の設定が可能である。画素数は，撮像により得られる画像の画素数のセットアップを示す。シャープネスは，撮像により得られる画像の鮮鋭度のセットアップを示す。プレビューは，上述したようにメモリ・カード８の記録前に被写体像を表示画面20上に表示するセットアップを示す。一括プリント候補は，撮影によって得られた画像データによって表される画像のすべてをプリント候補にするセットアップを示す。表示画面20には，矢印ボタン21の操作に応じて移動するカーソル26も表示されている。カーソル26によって囲まれている文字によって表される内容がセットアップの対象となる。
【００４０】
プレビューの文字がカーソル26によって囲まれているときに実行ボタン24が押されると，表示画面20は図４に示すものとなる。
【００４１】
表示画面20には，オフ，オンおよびプリント・プレビューの文字が表示されている。オンは，メモリ・カード８に画像データを記録する前に表示画面20に被写体像を表示する設定を行うものである。オフは，メモ・カード８に画像データを記録する前に表示画面20に被写体像を表示する設定を解除するものである。プリント・プレビューは，メモリ・カード８に画像データを記録する前に表示画面20に被写体像を表示する設定を行い，かつ表示されている画像をプリント候補とするかどうかをメモリ・カード８への画像データの記録ごとにユーザに確認する設定およびその解除を行うものである。カーソル26によって囲まれている文字によって表される内容がセットアップの対象となる。
【００４２】
プリント・プレビューの文字がカーソル26によって囲まれているときに実行ボタン24が押されると，表示画面は図５に示すものとなる。
【００４３】
表示画面20には，オフおよびオンの文字が表示されている。オンは，プリント・プレビューの設定を行うものである。オフは，設定されているプリント・プレビューの解除を行うものである。カーソル26によって囲まれている内容に応じてプリント・プレビューの設定または解除が行われる。
【００４４】
図６は，メモリ・カード８に記録される画像ファイルのディレクトリ構造を示している。
【００４５】
メモリ・カード８には，プリント対象フォルダ，プリント候補フォルダおよび非プリント対象フォルダが格納される。
【００４６】
プリント対象フォルダには，プリントすべき画像を表す画像ファイルが格納される。DSC0001.JPG，DSC0003.JPGなどのファイル名をもつ画像ファイルがプリント対象フォルダに格納されている。また，プリント対象フォルダには，プリント対象となる画像についてのプリント情報（画像ファイル名，プリント枚数，プリント・サイズ，回転の要否など）を表すデータが記憶されているプリント対象情報ファイルも格納されている。プリント候補フォルダには，プリントする予定またはプリントする候補となる画像を表す画像ファイルが格納される。DSC0002.JPG，DSC0004.JPGなどのファイル名をもつ画像ファイルがプリント候補フォルダに格納されている。また，プリント候補フォルダには，プリント候補となる画像についてのプリント情報（画像ファイル名など）を表すデータが記憶されているプリント候補情報ファイルも格納されている。非プリント対象フォルダには，プリントする予定の無い画像を表す画像ファイルが格納される。DSC0005.JPG，DSC0006.JPGなどのファイル名をもつ画像ファイルが非プリント対象フォルダに格納されている。また，非プリント対象フォルダには，非プリント対象となる画像についての情報（画像ファイル名など）を表すデータが記憶されている非プリント対象情報ファイルも格納されている。
【００４７】
図７は，画像ファイルのファイル構造（データ構造）の一例である。
【００４８】
画像ファイルには，付加情報記録領域と画像データ記録領域とが含まれている。
【００４９】
画像データ記録領域には，画像データが記録される。付加情報記録領域には，画像データ記録領域に記録されている画像データについての情報（どのようなカメラの機種によって得られた画像データかを示す情報，ストロボ撮影の有無を示す情報，絞り値情報，シャッタ速度情報，画像データ記録領域に記録されている画像データによって表される画像に対応するサムネイル画像など）が記録される。とくに，この実施例においては，付加情報記録領域には，画像データ記録領域に記録されている画像データによって表される画像がプリント候補かどうか，プリント対象画像である場合には，プリント枚数，プリント・サイズ，その他のプリント情報（回転の有無など）がさらに記録される。
【００５０】
付加情報記録領域に記録されているプリント候補情報を読み取ることにより，画像データ記録領域に記録されている画像データによって表される画像がプリント候補かどうかを確認することができる。また，同様に付加情報記録領域にプリント枚数を読み取ることにより画像データ記録領域に記録されている画像データによって表される画像がプリント対象かどうか，プリント対象であればその枚数は何枚かを確認できる。プリント・サイズ，プリント情報についても同様である。
【００５１】
図７に示す画像ファイルにおいて付加情報記録領域にプリント枚数とは別にプリント候補についてのデータを記録しているが，次のようにして，プリント枚数の情報を利用してプリント候補の情報とプリント枚数の情報との両方の情報を得ることもできる。たとえば，プリント枚数の情報として「０」から「255」までを使用できるものとする。そして，プリント枚数として指定できる最大の枚数は254枚とする。プリント枚数が「０」であれば，対応する画像は非プリント画像とする。プリント枚数が「１」から「254」までの間であれば，その枚数を対応する画像のプリント枚数とする。プリント枚数が「255」であれば，対応する画像はプリント候補画像とする。
【００５２】
図８は，撮影モードに設定されたディジタル・スチル・カメラの処理手順を示すフローチャートである。
【００５３】
モード設定ダイアル22によってSELF，ＡまたはＭがマーク23の位置に合わせられることにより撮影モードとなる。撮影モードが設定されると，上述したようにセットアップ・モードにおいて設定されているモードがプリント・プレビュー・モードであるかが確認される（ステップ31）。
【００５４】
プリント・プレビュー・モードが設定されていると，上述のように被写体が撮像され（ステップ32），被写体像を表す画像データが得られる。得られた画像データが表示装置９に与えられることにより，表示画面20上に被写体像が動画表示される（ステップ33）。
【００５５】
シャッタ・レリーズ・ボタン６が押されると，撮影により得られた画像データは，ＲＡＭ11に一時的に記憶される（ステップ35）。ＲＡＭ11に記憶されている画像データが読み出され，表示装置９に与えられることにより被写体像を表す静止画が表示画面20上に表示される（ステップ36，プレビュー）。表示画面20に表示されている被写体像でユーザが満足すればユーザによって実行ボタン24が押される。これによりＲＡＭ11に記憶されている画像データがメモリ・カード８に記録されるようになる（ステップ37でＹＥＳ）。表示画面20に表示されている被写体像ではユーザが満足しない場合には，キャンセル・ボタン25が押される。表示されている被写体像を表す画像データをメモリ・カード11に記録する意思はないものとして（ステップ37でＮＯ），ＲＡＭ11に記録されている画像データが消去される（ステップ38）。
【００５６】
画像データがメモリ・カード９に記録されると（ステップ37でＹＥＳ），表示画面20には，図９に示すようにプリント候補の確認の文章20Ａが現れる。プリント候補確認の文章20Ａは，被写体を表す静止画20Ｂの下に表示されている。静止画20Ｂをプリント候補とする場合にはユーザによって実行ボタン24が押される。静止画20Ｂをプリント候補としない場合にはユーザによってキャンセル・ボタン25が押される。
【００５７】
実行ボタン24が押されると，表示画面20に表示されている静止画がプリント候補と判断されるので（ステップ39でＹＥＳ），プリント候補であることを示すデータが画像ファイルの付加情報記録領域に記録される。また，画像ファイルは，プリント候補フォルダ内に格納される（ステップ41）。キャンセル・ボタン25が押されると，表示画面20に表示されている静止画はプリント候補とはしないと判断されるので（ステップ39でＮＯ），画像ファイルは非プリント対象フォルダ内に格納される（ステップ40）。
【００５８】
一括プリント候補モードが設定されていると（ステップ31），撮影によって得られた画像データによって表される画像はすべてプリント候補となる。プリント・プレビュー・モードが設定されている場合と同様に，被写体が撮影され（ステップ51），被写体像を表す動画が表示画面20上に表示される（ステップ52）。シャッタ・レリーズ・ボタン６が押されると（ステップ53でＹＥＳ），プリント候補であることを示すデータが画像ファイルの付加情報記録領域に記録される。画像ファイルは，プリント候補フォルダ内に格納される（ステップ41）。
【００５９】
上述した実施例においては，一駒の画像を表示画面20に表示して，表示されている一駒の画像をプリント候補とするかどうか確認しているが，複数駒の画像を表示画面20に表示して，複数駒の画像のうち所望の駒の画像をプリント候補とするかどう確認するようにしてもよい。
【００６０】
図10は，表示画面20に表示される画像の一例である。
【００６１】
表示画面20には，多数駒のサムネイル画像Ｉｓが表示されている。上述したように撮影されるごとにサムネイル画像Ｉｓが増えていく。多数駒のサムネイル画像Ｉｓのうち一つの駒のサムネイル画像Ｉｓの回りがカーソル27で囲まれている。撮影時においてはカーソル27は最後に撮影された被写体像のサムネイル画像Ｉｓの回りを囲んでいる。カーソル27は矢印ボタン21を利用して移動可能なのはいうまでもない。
【００６２】
カーソル27で囲まれているサムネイル画像に対応する被写体像をプリント候補にする場合には，実行ボタン24が押され，プリント候補にしない場合には，キャンセル・ボタン25が押されることとなる。
【００６３】
図11は，再生モードが設定されたディジタル・スチル・カメラの処理手順を示すフローチャートである。図12および図13は，表示画面20に表示される画像の一例である。
【００６４】
再生モードが設定されると，メモリ・カード８に記録されている画像データによって表される画像を再生して表示画面20上に表示することができる。一駒ずつの画像を表示することもできるし，複数駒のサムネイル画像を表示することもできる。以下，複数駒のサムネイル画像が表示画面20に表示されるものとする。また，セットアップ・モードにおいて，メモリ・カード８に記録されている画像データによって表される画像のうちプリント候補画像を表示するプリント候補優先再生の設定または解除を行うことができるものとする。
【００６５】
プリント候補優先再生が設定されていると（ステップ61でＹＥＳ），メモリ・カード８に記録されている画像データのうちプリント候補フォルダに格納されている画像ファイルが読み出される。読み出された画像ファイルによって表される画像のサムネイル画像Ｉｓが図12に示すように，プリント候補画像としてファイル名の順序で表示画面20に表示される（ステップ62）。表示画面20に表示されるサムネイル画像Ｉｓにはプリント候補画像であることが分かるようにそれぞれのサムネイル画像Ｉｓの右下の部分にＣの文字が重畳されている。また，多数駒のサムネイル画像のうち一駒のサムネイル画像Ｉｓを囲むようにカーソル27が表示されている。このカーソル27は矢印ボタン21によって移動可能である。
【００６６】
表示画面20に表示されているプリント候補画像のうち，プリント対象画像とするものがあれば，その画像を囲むようにカーソル27が移動させられ，ＤＰＯＦの設定が行われる（ステップ63）。ＤＰＯＦの設定に応じて，プリント候補画像がたとえば，プリント対象画像に変更させられる。ＤＰＯＦの設定について詳しくは，後述する。
【００６７】
セットアップ・モードにおいてプリント候補優先再生がオフとされると（ステップ61でＮＯ，ステップ64でＹＥＳ），プリント候補優先画像だけでなく，メモリ・カード８に記録されているすべての画像データが読み取られ，読み取られた画像データによって表される画像のサムネイル画像Ｉｓが図13に示すように表示画面20上に表示される（全画像再生，ステップ65）。全画像再生においてもプリント候補画像と非プリント対象画像とを区別するためにプリント候補画像については右下にＣの文字が表示される。実行ボタン24が押されることにより，カーソル27で囲まれている画像についてＤＰＯＦの設定が行われる（ステップ66）。
【００６８】
電源がオフされずに，全画像再生がオフされればプリント候補画像が表示される（ステップ67でＹＥＳ，ステップ69でＮＯ）。全画像再生がオフされなければ電源がオフされるまで，メモリ・カード８らに記録されている画像データによって表されるすべての駒の画像が表示画面20上に表示される（ステップ67でＮＯ，ステップ68でＮＯ）。
【００６９】
上述した実施例においては，プリント候補画像であることが分かるようにプリント候補画像の右下にＣの文字が表示されているが，プリント対象画像であることが分かるようにプリント対象画像の右下に識別マークを重畳するようにしてもよい。
【００７０】
図14は，ＤＰＯＦ設定処理（図11ステップ63，66の処理）を示すフローチャートである。
【００７１】
上述したように（図12または図13参照），ＤＰＯＦを設定する対象となるサムネイル画像がカーソル27で囲まれることにより選択される（ステップ71）。プリント対象画像，プリント候補画像または非プリント対象画像のうち，選択された画像がどの種類かが判断される（ステップ72）。
【００７２】
実行ボタン24が押されると，図15に示すように表示画面20にはメニューが表示される。このメニューに，画像種類の変更メニュー，プリント枚数変更メニュー，プリント・サイズ変更メニュー等が含まれる。
【００７３】
選択された画像がプリント対象画像であれば，矢印ボタン21を利用してメニューの選択が行われる。カーソル26を用いて画像種類の変更メニューを選択することにより，プリント対象画像からプリント候補画像または非プリント対象画像への変更が可能となる。また，プリント枚数変更メニューを選択することにより，プリント枚数を変更できる。同様に，プリント・サイズ変更メニューを選択することにより，プリント・サイズを変更できる。実行ボタン24が押されることにより，カーソル27で囲まれた内容の変更が可能となる。たとえば，カーソル26によって画像種類変更のメニューが囲まれている場合に実行ボタン24が押されると表示画面20には，図16に示すようにプリント対象，プリント候補および非プリント候補の文字が現れる。矢印ボタン21によって上下に移動自在なカーソル26によって囲まれている文字によって指定される種類が，実行ボタン24が押されることにより選択されることとなる。そのほかのプリント枚数およびプリント・サイズについても同様に変更可能なのは容易に理解できよう。
【００７４】
以下，同様に，選択された画像がプリント候補画像または非プリント対象画像であれば，プリント対象画像もしくは非プリント対象画像への変更またはプリント対象画像もしくはプリント候補画像への変更が可能となる。また，プリント対象画像に変更した場合には，プリント枚数およびプリント・サイズを設定することもできる。
【００７５】
このようよにしてプリント対象画像におけるプリント内容の変更（ステップ73），プリント候補画像におけるプリント候補の変更（ステップ74）または非プリント対象画像における非プリント対象内容の変更（ステップ75）が行われると，それぞれの変更内容に応じて画像ファイルの付加情報記録領域に記録されている内容が変更させられる（ステップ76）。さらに，画像種類の変更に応じて，格納先のフォルダが変更させられる（ステップ77）。さらに，プリント対象情報ファイル，プリント候補情報ファイルまたは非プリント対象情報ファイルの内容も変更させられるのはいうまでもない。
【００７６】
図17および図18は，ディジタル・スチル・カメラの背面の一部を示している。
【００７７】
再生モードが設定されたことに応じて，プリント候補優先再生か全画像再生かに対応した多数駒のサムネイル画像Ｉｓが表示される。第１行目の最下段には，「全表示」の文字81が表示され，第２行目の最下段には，「プリント候補」の文字82が表示され，第３行目の最下段にはそのほかの所定の文字83が表示されている。これらの文字81，82および83に対応して表示画面20の下には，３つのファンクション・キーＦ１，Ｆ２およびＦ３が設けられている。
【００７８】
ファンクション・キーＦ１が押されることにより，全画像表示指令がディジタル・スチル・カメラに与えられる。表示画面20には，メモリ・カード８に記録されている画像データによって表されるすべての画像のサムネイル画像Ｉｓが表示される。また，ファンクション・キーＦ２が押されることにより，プリント候補画像表示指令がディジタル・スチル・カメラに与えられる。表示画面20には，メモリ・カード８に記録されている画像データによって表される画像のうちプリント候補画像が表示される。
【００７９】
一のサムネイル画像がカーソル27によって囲まれている。実行ボタン24が押されることにより，カーソル27によって囲まれているサムネイル画像に対応する一駒の画像が図18に示すように，表示画面20の全体にわたって表示される。すると，表示画面20の下段には，ファンクション・キーＦ１，Ｆ２およびＦ３に対応して枚数の文字84，85および86に対応して枚数の文字84，85および86が表示される。ファンクション・キーＦ１が押されることにより，プリント枚数の設定ができる。ファンクション・キーＦ２が押されることにより，プリント・サイズの設定ができる。ファンクション・キーＦ３が押されることにより，プリントするときに画像を回転させることを指定することができる。このように，プリント内容の設定に応じて付加情報記録領域に記録されるプリント情報の書き換え，プリント情報ファイルに記録されている内容の書き換えが行われるのはいうまでもない。
【図面の簡単な説明】
【００８０】
【図１】ディジタル・スチル・カメラの電気的構成を示すブロック図である。
【図２】ディジタル・スチル・カメラの背面を示している。
【図３】表示画面の一例である。
【図４】表示画面の一例である。
【図５】表示画面の一例である。
【図６】ディレクトリ構造を示している。
【図７】ファイル構造を示している
【図８】撮影モードにおけるディジタル・スチル・カメラの処理手順を示すフローチャートである。
【図９】表示画面の一例である。
【図１０】表示画面の一例である。
【図１１】再生モードにおけるディジタル・スチル・カメラの処理手順を示すフローチャートである。
【図１２】表示画面の一例である。
【図１３】表示画面の一例である。
【図１４】ＤＰＯＦ設定処理手順を示すフローチャートである。
【図１５】表示画面の一例である。
【図１６】表示画面の一例である。
【図１７】表示画面の一例である。
【図１８】表示画面の一例である。
【符号の説明】
【００８１】
２  ＣＣＤ
８  メモリ・カード
９  表示装置
10  カメラ制御回路
11  ＲＡＭ
20  表示画面
22  モード設定ダイアル
24  実行ボタン
25  キャンセル・ボタン
【図１】
2005086606.tif 000003
【図２】
2005086606.tif 000004
【図３】
2005086606.tif 000005
【図４】
2005086606.tif 000006
【図５】
2005086606.tif 000007
【図６】
2005086606.tif 000008
【図７】
2005086606.tif 000009
【図８】
2005086606.tif 000010
【図９】
2005086606.tif 000011
【図１０】
2005086606.tif 000012
【図１１】
2005086606.tif 000013
【図１２】
2005086606.tif 000014
【図１３】
2005086606.tif 000015
【図１４】
2005086606.tif 000016
【図１５】
2005086606.tif 000017
【図１６】
2005086606.tif 000018
【図１７】
2005086606.tif 000019
【図１８】
2005086606.tif 000020